(57)【要約】【課題】何度交換しても、コアレスロール紙の内周にシワや破れが生じにくいコアレスロール紙のシャフト固定具を提供することにより、プロッタや大型プリンタのロール紙をコアレスにして、省資源を図ることができるようにする。【解決手段】プロッタや大型プリンタのロール紙装填用シャフト１にコアレスロール紙２を固定するためのシャフト固定具であり、シャフト１の一方の端部近傍に固定され、外周がコアレスロール紙２の一方の内周部に接するテーパ管１１付きの固定フランジ１０と、シャフト１の他方の端部近傍に摺動可能に設けられ、外周がコアレスロール紙２の他方の内周部に接するテーパ管２１付きの可動スリーブ２０とを有する。コアレスロール紙２を固定フランジ１０のテーパ管１１に挿入し、次いで、シャフト１に可動スリーブ２０を挿入することで、コアレスロール紙２はシャフト１に固定される。【選択図】  図１
2006225136.tif 000002
【特許請求の範囲】
【請求項１】
プロッタや大型プリンタのロール紙装填用シャフトにコアレスロール紙を固定するためのシャフト固定具であって、
前記シャフトの一方の端部近傍に固定され、外周が前記コアレスロール紙の一方の内周部に接する、断面がほぼ円形の外周を有するテーパ付きの固定フランジと、
前記シャフトの他方の端部近傍に摺動可能に設けられ、外周が前記コアレスロール紙の他方の内周部に接する、断面がほぼ円形の外周を有するテーパ付きの可動スリーブと
を設けたことを特徴とするコアレスロール紙のシャフト固定具。
【請求項２】
プロッタや大型プリンタのロール紙装填用シャフトにコアレスロール紙を固定するためのシャフト固定具であって、
前記シャフトの一方または両方から挿入可能で、その長手方向に沿ってスリットを有する断面Ｃ字状の拡径可能な弾性素材からなる支持管と、
前記シャフトの一方から挿入可能で、前記支持管を拡径させる拡径スリーブと
を設けたことを特徴とするコアレスロール紙のシャフト固定具。
【発明の詳細な説明】
【技術分野】
【０００１】
本発明は、プロッタや大型プリンタに用いられるコア付きのロール紙の代わりにコアレスロール紙を用いる場合に、コアレスロール紙をプロッタや大型プリンタにセットするためのシャフト固定具に関する。
【背景技術】
【０００２】
製図用の図面や建築用図面、広告用垂れ幕等を印刷するプロッタや大型プリンタでは、Ａ３〜Ａ０サイズ、あるいはそれ以上の大判の用紙ないし生地に印刷できるようになっており、プロッタやプリンタの本体のサイズをコンパクトにするために、ロール紙を用いてインクジェット印字方式やレーザー印字方式で印刷するものが多い。この場合、ロール紙としては、円筒状のコアにペーパを巻いたコア付きのものが使用されている。
【０００３】
これらのプロッタや大型プリンタに使用されるコア付きのロール紙は、一本のシャフトにロール紙を通し、シャフトの両端部に設けたフランジでロール紙のコアを保持するようにしたもの（例えば、特許文献１〜３参照）と、両側の保持部に係合部を設け、この係合部間にロール紙のコアの両端を係合するようにしたもの（例えば、特許文献４参照）がある。
【０００４】
コア付きのロール紙を使い終わると、コアが不要ゴミとして残る。コアの材質としては、使い捨ての場合、廃棄後の環境汚染を考慮して紙製の管（以下、「紙管」という。）が用いられているが、Ａ０版では８４１ｍｍ、３６型であると９１４ｍｍ、６０型では１５２４ｍｍの長さがあり、設計事務所等では、何本も溜まって、処置に困っている。紙管は、新聞紙や雑誌の紙と異なり、再生ができず、資源の無駄であるし、焼却するしかないので、地球温暖化の問題もある。
【０００５】
ところで、小型のプリンタ用紙として、レジスターにおけるレシート印字用紙や家庭用のファクシミリの受信紙には、コアレスロール紙を用いて資源の無駄を省くようにしたものがある（例えば、特許文献５，６参照）。
【０００６】
このような小型のプリンタに用いられるコアレスロール紙は、軽量であるので、ロール紙を受ける凹状の保持板を有する収納部に収納するだけで、用紙搬送機構を用いて紙の先端を引っ張ればそれに追随してロール紙は保持板に対して空転し、用紙が巻き解かれる。
【０００７】
【特許文献１】特開平７−２３２４９７号公報
【特許文献２】特開平７−２５７０９２号公報
【特許文献３】特開平１１−７９４８１号公報
【特許文献４】特開平８−２３８８２６号公報
【特許文献５】特開平１０−３２９９９５号公報
【特許文献６】特開２００１−１３９１９２号公報
【発明の開示】
【発明が解決しようとする課題】
【０００８】
本発明の狙いは、プロッタや大型プリンタのロール紙をコアレスにして、省資源を図るものであるが、これには、次のような解決すべき課題がある。
【０００９】
すなわち、小型のプリンタでは、コアレスロール紙が軽いので、ロール紙収納部に設けた保持板で保持しても、特に問題は生じない。また、通常のコアレスロール紙は、用紙を使い切るまで使用し、用紙の種類を途中で交換することもないので、内周の紙が損傷を受けることも少ない。
【００１０】
しかし、プロッタや大型プリンタで使用するロール紙は、幅が長く、重量も重いので、特許文献５，６に開示されているような、凹状の保持板でコアレスロール紙を受けると、保持板とコアレスロール紙の表面との摩擦が大きく、用紙搬送機構の負荷が大きく、また用紙に無理な力が掛かって破れや紙詰まりの原因となり不都合である。
【００１１】
コアレスロール紙を、既存のプロッタや大型プリンタのコア付きロール紙用のシャフトに通して用いると、コアレスロール紙の内周の紙は紙管の内周程の強度はないので、破れやすい。すなわち、既存のプロッタや大型プリンタのコア付きロール紙用のシャフトは、シャフトの一端に、ロール紙のコアである紙管の一方の端部を装着するための固定側受け部を有し、また紙管の他方の端部を装着するための可動側受け部をシャフトの他端側から装着できるようになっている。これらの固定側受け部および可動側受け部は、シャフトと平行な、断面がコ字状の突条となっており、紙管の内周に３〜４箇所で受けるようになっているので、ここにコアレスロール紙の内周を装着すると、コアレスロール紙の内周に部分的な張力がかかり、破れやすくなるのである。
【００１２】
プロッタや大型プリンタのロール紙には、普通紙、トレーシングペーパ、コート紙、再生紙、フィルム紙等の種類があり、用途に応じて使い分けている。そのため、用紙の種類を変えるときには直前に使用していたロール紙をシャフトから取り外し、今回使用するロール紙をシャフトに装着してから使用する必要がある。何度もコアレスロール紙をシャフトに装着したり取り外したりすると、コアレスロール紙の内周にシワが入ったり破れてしまって、使用できない部分が多くなり、無駄となる。
【００１３】
そこで本発明は、プロッタや大型プリンタにコアレスロール紙を使用するときの問題点を解消し、何度交換しても、コアレスロール紙の内周にシワや破れが生じにくいコアレスロール紙のシャフト固定具を提供することを目的とする。
【課題を解決するための手段】
【００１４】
前記課題を解決するため、本発明の第１の構成は、プロッタや大型プリンタのロール紙装填用シャフトにコアレスロール紙を固定するためのシャフト固定具であって、前記シャフトの一方の端部近傍に固定され、外周が前記コアレスロール紙の一方の内周部に接する、断面がほぼ円形の外周を有するテーパ付きの固定フランジと、前記シャフトの他方の端部近傍に摺動可能に設けられ、外周が前記コアレスロール紙の他方の内周部に接する、断面がほぼ円形の外周を有するテーパ付きの可動スリーブとを設けたことを特徴とするコアレスロール紙のシャフト固定具である。
この第１の構成においては、コアレスロール紙をシャフトに固定するとき、シャフトから可動スリーブを取り外し、元のコアレスロール紙を固定フランジのテーパ部から引き抜いて取り外す。その後、今回使用するコアレスロール紙を固定フランジのテーパ部に挿入し、コアレスロール紙の端面が固定フランジのフランジ面に突き当たるようにする。次いで、シャフトに可動スリーブを挿入し、可動スリーブの外周のテーパがコアレスロール紙の内周に接するようにする。コアレスロール紙が固定されたら、シャフトをプロッタや大型プリンタのシャフト受け部にセットする。このように、シャフトに固定フランジと可動スリーブを設けて、これらの、断面がほぼ円形の外周を有するテーパ部分によりコアレスロール紙の内周を支持することにより、コアレスロール紙の内周にシワや破れが生じにくくなる。したがって、本発明の本来の狙いである、プロッタや大型プリンタのロール紙をコアレスにして、省資源を図ることが可能となる。
【００１５】
また、本発明の第２の構成は、プロッタや大型プリンタのロール紙装填用シャフトにコアレスロール紙を固定するためのシャフト固定具であって、前記シャフトの一方または両方から挿入可能で、その長手方向に沿ってスリットを有する断面Ｃ字状の拡径可能な弾性素材からなる支持管と、前記シャフトの一方から挿入可能で、前記支持管を拡径させる拡径スリーブとを設けたことを特徴とするコアレスロール紙のシャフト固定具である。
この第２の構成においては、コアレスロール紙をシャフトに固定するとき、シャフトから拡径スリーブを取り外すと、今まで拡径スリーブによって拡径されていた支持管の径が縮小され、元のコアレスロール紙を支持管から引き抜いて取り外すことができる。その後、今回使用するコアレスロール紙を支持管に挿入し、シャフト上で拡径スリーブを装着して支持管を拡径すると、コアレスロール紙の内周に支持管が圧接し、コアレスロール紙が支持管を介してシャフトに固定されることになる。このように、シャフトに支持管と拡径スリーブを設けて、拡径した支持管によりコアレスロール紙の内周を支持することにより、コアレスロール紙の内周にシワや破れが生じにくくなる。したがって、本発明の本来の狙いである、プロッタや大型プリンタのロール紙をコアレスにして、省資源を図ることが可能となる。
【発明の効果】
【００１６】
本発明によれば、何度交換しても、コアレスロール紙の内周にシワや破れが生じにくいコアレスロール紙のシャフト固定具を提供することができ、これにより、プロッタや大型プリンタのロール紙をコアレスにして、省資源を図ることができる。
【発明を実施するための最良の形態】
【００１７】
以下、本発明の実施の形態を、図面を用いて説明する。
［実施の形態１］
図１は本発明の実施の形態１に係るシャフト固定具の構造を示す一部切欠断面図、図２は図１のＡ−Ａ線における断面図である。
【００１８】
これらの図において、シャフト固定具は、プロッタまたはプリンタのロール紙装填用シャフト（以下、単に「シャフト」という）１の一方の端部近傍に固定され、外周がコアレスロール紙２の一方の内周部に接する、断面がほぼ円形の外周を有するテーパ付きの固定フランジ１０と、シャフト１の他方の端部近傍に摺動可能に設けられ、外周がコアレスロール紙２の他方の内周部に接する、断面がほぼ円形の外周を有するテーパ付きの可動スリーブ２０とを設けたものである。
【００１９】
固定フランジ１０は、コアレスロール紙２の内径が多少ばらついても装着できるようにテーパ管１１を有しており、またシャフト１の外径が多少ばらついても装着できるように断面Ｃ字状の内管１２を有している。テーパ管１１も、どこの断面をとってもほぼ円形の外周を有する断面Ｃ字状となっており、内管１２とリブ１３で結合されている。したがって、テーパ管１１はコアレスロール紙２の内周の径に合うように外径が変化するようになっている。内管１２の端部には、コアレスロール紙２の端部を受けるフランジ部１４が一体に結合されており、シャフト１に対して、袋ナット等の固定具１５で１箇所ないし数箇所で固定できるようになっている。
【００２０】
可動スリーブ２０も、固定フランジ１０と同様に、コアレスロール紙２の内径が多少ばらついても装着できるようにテーパ管２１を有しており、またシャフト１の外径が多少ばらついても装着できるように断面Ｃ字状の内管２２を有している。テーパ管２１も、どこの断面をとってもほぼ円形の外周を有する断面Ｃ字状となっており、内管２２とリブ（図示せず）で結合されている。したがって、テーパ管２１はコアレスロール紙２の内周の径に合うように外径が変化するようになっている。内管２２の端部には、コアレスロール紙２の端部を受けるフランジ部２３が一体に結合されており、シャフト１に対して、袋ナット等の固定具２４で１箇所ないし数箇所で固定できるようになっている。なお、可動スリーブ２０が、シャフト１と内管２２との摩擦力で任意の位置に止まるのであれば、フランジ部２３はなくてもよい。
【００２１】
この実施の形態１においては、コアレスロール紙２をシャフト１に固定するとき、シャフト１から可動スリーブ２０を取り外し、元のコアレスロール紙を固定フランジ１０のテーパ管１１から引き抜いて取り外す。その後、今回使用するコアレスロール紙２を固定フランジ１０のテーパ管１１に挿入し、コアレスロール紙２の端面が固定フランジ１０のフランジ部１４の面に突き当たるようにする。次いで、シャフト１に可動スリーブ２０を挿入し、可動スリーブ２０の外周のテーパ管２１がコアレスロール紙２の内周に接するようにする。コアレスロール紙２が固定されたら、シャフト１をプロッタや大型プリンタのシャフト受け部にセットする。本実施の形態では、シャフトの両端部に小径部１ａ，１ｂが設けられており、プロッタや大型プリンタの一対のシャフト受け部に装着することにより、回転自在にセットできるようにしている。
【００２２】
このように、シャフト１に固定フランジ１０と可動スリーブ２０を取り付けて、これらのテーパ管１１、２１によりコアレスロール紙２の内周を支持することにより、コアレスロール紙２の内周にシワや破れが生じにくくなる。
【００２３】
なお、本実施の形態１においては、シャフト１に以上の構成の固定フランジ１０を取り付けるようにしたが、既存のプロッタや大型プリンタに付属しているシャフトに形成されているコア付きロール紙端部を受ける固定側受け部を利用して、その固定側受け部のテーパ部の外周を外側から包むようなテーパ管を設けて、結果的に図１の構成となるようにすることもできる。
【００２４】
［実施の形態２］
図３は本発明の実施の形態２に係るシャフト固定具の構造を示す一部切欠正面図、図４はその一部切欠分解斜視図である。
【００２５】
この実施の形態においては、シャフト固定具は、コアレスロール紙２の内周部の径よりも外径が小さい、断面がＣ字状の紙管またはプラスチック管等の弾性素材からなる支持管３０と、シャフト１の外径よりも若干大きな内径で支持管３０の内径よりも若干小さな外径を有する拡径スリーブ３１により構成されている。拡径スリーブ３１の先端３１ａは楔状に径が小さくなっており、長手方向に沿って、突条３２が設けられている。この突条３２は、支持管３０のスリット３０ａに入り込んだときにスリット３０ａを押し広げるように、先端部の幅が狭く、基端部の幅が広くなっており、また、スリット３０ａを押し広げるときに抵抗が小さくなるように、波状としている。また、突条３２の高さは、支持管３０の厚みよりも高くならないようにして、支持管３０に拡径スリーブ３１を挿入したときにコアレスロール紙２の内周の紙を傷付けないようにしている。
【００２６】
この実施の形態２においては、コアレスロール紙２をシャフト１に固定するとき、シャフト１から拡径スリーブ３１を取り外すと、今まで拡径スリーブ３１によって拡径されていた支持管３０の径が縮小され、元のコアレスロール紙２を支持管３０から引き抜いて取り外すことができる。その後、今回使用するコアレスロール紙２を支持管３０に挿入し、シャフト１の一端に取り付けられているテーパ部３ａ付きのフランジ３に支持管３０を押し当て、シャフト１上で拡径スリーブ３１を装着して支持管３０を拡径すると、コアレスロール紙２の内周に支持管３０が圧接し、コアレスロール紙２が支持管３０を介してシャフト１に固定されることになる。
【００２７】
なお、突条３２の楔状の側部によってスリット３０ａを押し広げるほかに、拡径スリーブ３１の外径を徐々に大きくして、拡径スリーブ３１によって支持管３０の径を大きくするようにすることもできる。その場合、拡径スリーブ３１の外周と支持管３０の内周との間で摩擦が大きくならないように、拡径スリーブ３１の外周に、長手方向に沿った凸部を設けたり、全面に凹凸を設けてもよい。
【００２８】
本実施の形態２では、拡径スリーブ３１を支持管３０の一方から挿入する例を示したが、拡径スリーブ３１を２個準備し、支持管３０の両方から挿入することにより、支持管３０を拡径することもできる。
【００２９】
このように、シャフト１に支持管３０と拡径スリーブ３１を設けて、拡径した支持管３０によりコアレスロール紙２の内周を支持することにより、コアレスロール紙２の内周にシワや破れが生じにくくなる。
【産業上の利用可能性】
【００３０】
本発明は、何度交換しても、コアレスロール紙の内周にシワや破れが生じにくいコアレスロール紙のシャフト固定具として、プロッタや大型プリンタに利用することができる。
【図面の簡単な説明】
【００３１】
【図１】本発明の実施の形態１に係るシャフト固定具の構造を示す一部切欠断面図である。
【図２】図１のＡ−Ａ線における断面図である。
【図３】本発明の実施の形態２に係るシャフト固定具の構造を示す一部切欠正面図である。
【図４】本発明の実施の形態２に係るシャフト固定具の一部切欠分解斜視図である。
【符号の説明】
【００３２】
１  シャフト
１ａ，１ｂ  小径部
２  コアレスロール紙
３  フランジ
３ａ  テーパ部
１０  固定フランジ
１１  テーパ管
１２  内管
１３  リブ
１４  フランジ部
１５  固定具
２０  可動スリーブ
２１  テーパ管
２２  内管
２３  フランジ部
２４  固定具
３０  支持管
３０ａ  スリット
３１  拡径スリーブ
３１ａ  先端
３２  突条
【図１】
2006225136.tif 000003
【図２】
2006225136.tif 000004
【図３】
2006225136.tif 000005
【図４】
2006225136.tif 000006